(57)【特許請求の範囲】
【請求項１】
容器又は配管の開口部に装着したシール弁であって、中央に挿通部を有するシール弁体と、前記シール弁体を容器又は配管の開口部に装着した状態で、前記挿通部を常時は圧着密閉状態とする圧着密閉手段とを備えたシール弁において、
前記シール弁の挿通部が、挿入側の面に形成した溝部と、前記溝部の幅よりも小径で、かつ、溝部の底から出口側の面に至る小径孔とで形成され、溝部及び小径孔の双方を常時はシール弁体に生じた圧縮応力で圧着密閉状態にし、挿入側の面から溝部及び小径孔に、流体の流路を有し、かつ溝部の幅よりも大きい挿入部を挿入することにより挿通部を開放することを特徴とするシール弁。
【請求項２】
前記溝部の両端を、端部へ向けて溝幅を縮小するＶ字状としたことを特徴とする請求項１に記載のシール弁。
【請求項３】
前記シール弁体が金型成形品であって、金型成形時に前記挿通部の溝部を形成し、その後に前記溝部の底に針を突き刺して小径孔を形成したものであることを特徴とする請求項１に記載のシール弁。
【請求項４】
前記シール弁体の内側面の中央部がアーチ型凹部形状になっていることを特徴とする請求項１に記載のシール弁。
【請求項５】
前記シール弁体の外側面の中央部がアーチ型凹部形状になっていることを特徴とする請求項４に記載のシール弁。
【請求項６】
前記圧着密閉手段が、シール弁体の外周部を厚さ方向に圧縮するとともに、シール弁体を内径方向に圧縮することにより、シール弁体の中央部を挿通部の幅方向に圧縮して、挿通部を圧着密閉状態にすることを特徴とする請求項１から５の何れかに記載のシール弁。
【請求項７】
容器又は配管の開口部に装着した請求項１から６の何れかに記載のシール弁と、前記容器又は配管の開口部に装着されたキャップ部材であって、前記シール弁体の挿通部が臨める開口と、前記開口の周縁囲むように立設した注射器の口部が挿入可能なスリーブ部とを備えたキャップ部材と、前記スリーブ部内に軸方向に摺動可能に配設され、注射器の口部が連結する連結部と、外周面が先細テーパ形状を成し、シール弁体の挿通部に挿入し得る挿入部と、前記連結部から挿入部に至る流路とを備えたアダプタとを備える注射器接続ポート。
【発明の詳細な説明】
【０００１】
【発明の属する技術分野】
本発明は、容器又は配管の開口に装着される再密閉可能なシール弁に関し、および、ツイストロック（ルアーロック）式注射器を、注射針を装着しない状態（ニードルレス）で接続することができる注射器接続ポートに関するものである。
【０００２】
【従来の技術】
従来、薬液の点滴や人工透析に用いられる輸液配管に取り付けられ、輸液の抽出や薬液の混入などを行う混注管５０１は、図１３に示すように、その分岐部５０２に設けた開口５０３に気密に嵌合したゴム栓５０４と、ゴム栓５０４を被覆して開口５０３の外周フランジ部５０５に固着させたキャップ５０６とで構成されている。輸液配管を流れる輸液（図示省略）を注射器５０７で抽出する時は、キャップ５０６の中心を剥離除去し、（あるいは、予めキャップ５０６の中心部に設けられた開口から）ゴム栓５０４に注射針５０８を突き刺して内部の薬液を抽出している。
【０００３】
上述した混注管の開口のシール構造では、ゴム栓５０４を突き刺す注射針５０８が必要である。しかし、注射針５０８の使用は、注射針の購入費の他に、使用済みの注射針の管理を怠れば院内感染など、重大な医療事故の原因となるので、使用済みの注射針の廃棄処分に十分な配慮が必要であり、コスト面での負担や、管理面での負担を負うことになり、また使用済みの注射針を誤って使用するなど不慮の医療事故のリスクを負うことになる。
【０００４】
上記のような問題点を鑑み、本出願の出願時においては未公開ではあるが、本発明者らは、注射針の使用を少なくするため、注射針５０８を装着しない状態（ニードルレス）で注射器５０７を容器又は配管に接続することができるシール弁を開発している。
【０００５】
このシール弁１００は、図１４に示すように、シール弁体１０１とキャップ部材１０２とからなる。このシール弁１００が装着されている混注管２００は、図１５（ａ）（ｂ）に示すように、輸液配管の途中に設けられる配管で、両端に輸液配管２０１,２０２を接続する接続部２０３,２０４を備えている。混注管２００の中央には分岐部２０５があり、この分岐部２０５を臨むように開口２０６が形成されている。この開口２０６にはシール弁１００のシール弁体１０１を装着する円筒状壁部２０７と、円筒状壁部２０７の底部にシール弁体１０１を着座させる着座部２０８がある。円筒状壁部２０７の上端周縁には、キャップ部材１０２を装着する外周フランジ部２０９を外径方向に突出形成している。シール弁体１０１は、混注管２００の円筒状壁部２０７と着座部２０８およびキャップ部材１０２で囲まれた空間に装着される。
【０００６】
シール弁体１０１は、混注管２００の開口２０６よりも大径のゴム製の部材で、中央部にスリット状の挿通部１０３を有している。
【０００７】
このシール弁１００は、シール弁体１０１を圧縮した状態で混注管２００の開口２０６に装着し、混注管２００の開口２０６に取り付けたキャップ部材１０２によって固定されたものである。これにより、シール弁体１０１の中央部に形成したスリット状の挿通部１０３は、常時は圧着密閉状態になっている。
【０００８】
このシール弁１００によれば、常時は挿通部１０３が圧着密閉状態になっているので、混注管２００の内部の流体が外部に漏れるのを防止することができる。また、このシール弁体１０１は、図１６に示すように、注射針を装着しない状態で、注射器１０４の口部１０５をそのままシール弁体１０１の挿通部１０３に押し込むことができ、注射器１０４を混注管２００に接続することができる。このとき、シール弁体１０１の挿通部１０３は注射器１０４の口部１０５の外周面に圧着しているので、混注管２００の内部の流体が外部に漏れることはない。また、注射器１０４の口部１０５を挿通部１０３から抜くと、シール弁体１０１の弾性復元力により、注射器１０４の口部１０５が抜かれるのと同時に挿通部１０３が圧着密閉状態になるので、混注管２００の内部の流体が漏れないようになっている。
【０００９】
ところで、医療現場では、注射器の安全性を向上させるために、図１７(ａ)に示すように、注射針６０１を注射器の口部６０２に螺合させ、注射針６０１の脱落を防止したツイストロック式注射器６００が採用されつつある。ツイストロック式注射器６００は、図１７(ｂ)に示すように、押子６０３と、押子６０３が装入されるシリンダ部６０４と、シリンダ部６０４から雄テーパ状に突出した口部６０２と、口部６０２の周りに円筒状に延在したカラー６０５と、カラー６０５の内周面に形成された雌ねじ部６０６とを備えている。ツイストロック式注射器６００の注射針６０１は、図１７(ｃ)に示すように、ハブ部６０７の先端部に針６０８を取り付け、基端部に雌テーパ状の装着部６０９を設け、その基端部端縁の外周に螺合片６１０を設けたものである。
【００１０】
上記のツイストロック式注射器６００は、口部６０２の周りに配設されたカラー６０５がシール弁体１０１に干渉するために、シール弁１００の挿通部１０３にツイストロック式注射器６００の口部６０２を挿入することができない。
【００１１】
そこで、本発明者らは、本出願の出願時においては未公開ではあるが、さらに図１８に示すように、ツイストロック式注射器６００を接続することができる注射器接続ポート３００を開発している。
【００１２】
この注射器接続ポート３００は、シール弁体３０１と、キャップ部材３０２と、アダプタ３０３からなる。
【００１３】
シール弁体３０１は、上述したシール弁１００のシール弁体１０１と同じもので、中央にスリット状の挿通部３０４が形成されており、シール弁体１０１と同様に、混注管２００の開口に装着している。
【００１４】
キャップ部材３０２は、シール弁体３０１の挿通部３０４が臨めるように中央に開口３０５を形成しており、この開口３０５の周縁を囲うようにスリーブ部３０６を立設させたものである。
【００１５】
キャップ部材３０２のスリーブ部３０６は、ツイストロック式注射器６００の口部６０２とカラー６０５との間の円形溝領域６１１（図１７(ｂ)参照）を装着することができる内外径を有している。スリーブ部３０６の上端外周面には、ツイストロック式注射器６００の雌ねじ部６０６を螺合させる螺合片３０７を突設している。また、スリーブ部３０６の上端内周面には、アダプタ３０３の脱落を防止する脱落防止片３０８を突設している。
【００１６】
アダプタ３０３は、スリーブ部３０６の内部空間に軸方向に摺動可能に収容した部材である。アダプタ３０３は、ツイストロック式注射器６００の口部６０２を連結する連結部３０９と、シール弁体３０１の挿通部３０４に挿入されるテーパ状の挿入部３１０と、連結部３０９から挿入部３１０に至る流路３１１とを備えている。この実施形態では、連結部３０９はツイストロック式注射器６００の口部６０２が嵌着するようになっている。
【００１７】
なお、キャップ部材３０２とアダプタ３０３は、共に例えばポリプロピレンなどのプラスチック製の材料で成形されている。
【００１８】
この注射器接続ポート３００は、図１９に示すように、ツイストロック式注射器６００のカラー６０５の雌ねじ部６０６を、キャップ部材３０２のスリーブ部３０６の螺合片３０７に螺合させながら、キャップ部材３０２のスリーブ部３０６内にツイストロック式注射器６００の口部６０２をねじ込む。このとき、ツイストロック式注射器６００の口部６０２をアダプタ３０３の連結部３０９に連結し、アダプタ３０３の挿入部３１０をシール弁体３０１の挿通部３０４に挿入する。これにより、アダプタ３０３の流路３１１を介して、混注管２００の内部とツイストロック式注射器６００を接続する流体の流通経路が形成されるようになっている。
【００１９】
【発明が解決しようとする課題】
本発明者らが提案するシール弁１００及び注射器接続ポート３００は、それぞれニードルレスで注射器を接続することが可能であり、実用的にも十分に機能し得るものである。しかし、特に、血液や人工透析に用いられる輸液配管では、混注管内を流通する血液に、血圧に応じた圧力が掛かっているために、シール弁体の挿通部から注射器の口部を抜く瞬間に、シール弁体の挿通部から血液が沁み出しや漏れることがあった。衛生上、このような血液の漏れはできる限り抑制したい。
【００２０】
そこで、本発明は、シール弁体の挿通部から注射器の口部を抜く瞬間に、シール弁の挿通部から液体が漏れるのを抑制することができるシール弁および注射器接続ポートを提供することを目的としている。
【００２１】
【課題を解決するための手段】
請求項１に記載のシール弁は、容器又は配管の開口部に装着したシール弁であって、中央に挿通部を有するシール弁体と、前記シール弁体を容器又は配管の開口部に装着した状態で、前記挿通部を常時は圧着密閉状態とする圧着密閉手段とを備えたシール弁において、前記シール弁の挿通部が、挿入側の面に形成した溝部と、前記溝部の幅よりも小径で、かつ、溝部の底から出口側の面に至る小径孔とで形成され、溝部及び小径孔の双方を常時はシール弁体に生じた圧縮応力で圧着密閉状態にし、挿入側の面から溝部及び小径孔に、流体の流路を有し、かつ溝部の幅よりも大きい挿入部を挿入することにより挿通部を開放することを特徴としている。
【００２２】
ここで、「挿入側」とは、容器又は配管の外側に配設され、注射器の口部を挿
入する側をいい、「出口側」とは、容器又は配管の内側に配設され、挿入された
注射器の口部の出る側をいう。このシール弁は、シール弁体の挿通部が、挿入側と出口側で２段構成になっており、シール弁体の挿通部の出口側の幅が挿入側よりも狭くなっている。具体的には、シール弁体の挿通部が、挿入側の面に形成した溝部と、溝部の幅よりも小径で、かつ、溝部の底から出口側の面に至る小径孔とからなる。このため、シール弁体を容器又は配管の開口部に装着したときの圧着密閉手段によって、スリット状の溝部のみで挿通部を形成する場合と比べ、シール弁体の内側部分の小径孔により強い圧縮応力が生じ、シール弁体の挿通部がより強く圧着密閉状態になる。これにより、容器又は配管内の液体からシール弁が圧力を受けたときでも、液体が漏れることがない。また、挿通部に注射器の口部やロケット針などを挿し込んだときの注射器やロケット針の保持安定性がよい。さらに、小径孔のみでなく溝部も圧着密閉状態とすることにより、より優れた挿通部の密閉性、及び注射器やロケット針の安定性が得られる。尚、シール弁の溝部は、シール弁体の厚さに対して１／２から４／５の深さを有することが望ましい。
【００２３】
さらに、シール弁体の挿通部から注射器の口部を抜くとき、注射器の口部をシール弁体の厚さ方向の中間部位まで抜いたときに、挿通部の出口側が閉鎖状態になる。これにより、液体の沁み出しや漏れを抑制することができる。
【００２４】
請求項２に記載のシール弁は、前記溝部の両端を、端部へ向けて溝幅を縮小するＶ字状としている。これにより、挿通部を圧着密閉状態にしたときに、溝部の両端に隙間が形成されることを防止でき、液体の沁み出しや漏れを抑制できる。
【００２５】
請求項３に記載のシール弁は、シール弁体が金型成形品であって、金型成形時に挿通部の溝部を形成し、その後に前記溝部の底に針を突き刺して小径孔を形成したものであることを特徴としている。このように形成した挿通部は、小径孔の開口部分がきれいに仕上がり衛生的である。
【００２６】
請求項４に記載のシール弁は、容器又は配管の内部側に配設されたシール弁体の内側面の中央部が略アーチ型凹部形状になっていることを特徴としている。
【００２７】
このシール弁は、それぞれシール弁体の中央部のアーチ型凹部形状に沿って、シール弁体の中央部により強い圧縮応力を発生させることができ、シール弁体の挿通部から注射器の口部を抜くときの液漏れを抑制することができる。また、このシール弁を採用した注射器接続ポートでは、注射器が接続されている状態において、シール弁体の復元力が、アダプタをシール弁体の挿通部から押し出すように作用するので、シール弁体の挿通部がより速く圧着密閉状態に復元される。
【００２８】
請求項５に記載のシール弁は、容器又は配管の内部側に配設されたシール弁体の内側面の中央部と、容器又は配管の外部側に配設されたシール弁体の外側面の中央部が、それぞれ略アーチ型凹部形状になっていることを特徴としている。
【００２９】
このシール弁は、請求項４に記載のシール弁と同じ作用をし、さらにシール弁体の内側面及び外側面の中央部がそれぞれアーチ型凹部形状になっているので、容器又は配管の内部が負圧状態になった場合でも、シール弁体の外側面の中央部がアーチ型凹部形状になっているので、シール弁体が容器又は配管の内部側に引き込まれるように変形するのを抑制することができる。
【００３０】
請求項６に記載のシール弁は、圧着密閉手段が、シール弁体の外周部を厚さ方向及び半径方向に圧縮させることにより、シール弁体の中央部を挿通部の幅方向に圧縮して挿通部を圧着密閉することを特徴としている。これにより、シール弁体の中央部により大きな圧縮応力を作用させることができ、シール弁体の挿通部を圧着密閉させる作用がより強くなる。これにより、シール弁体の挿通部から注射器の口部を抜いたときに、挿通部をより速く圧着密閉状態に復元させることができる。これにより、液体の漏れを抑制することができる。
【００３１】
請求項７に記載の注射器接続ポートは、容器又は配管の開口部に装着した請求項１から６の何れかに記載のシール弁と、容器又は配管の開口部に装着されたキャップ部材であって、シール弁体の挿通部が臨める開口と、開口の周縁囲むように立設した注射器の口部が挿入可能なスリーブ部とを備えたキャップ部材と、スリーブ部内に軸方向に摺動可能に配設され、注射器の口部が連結する連結部と、外周面が先細テーパ形状を成し、シール弁体の挿通部に挿入し得る挿入部と、連結部から挿入部に至る流路とを備えたアダプタとを備えている。この注射器接続ポートは、請求項１から６の何れか記載のシール弁を採用したので、注射器接続ポートから注射器の口部を抜いたときに、シール弁の挿入部からの液体の漏れを抑制することができる。
【００３２】
【発明の実施の形態】
以下、本発明に係るシール弁および注射器接続ポートの実施の形態を図面に基づいて説明する。なお、上述したシール弁１００、注射器接続ポート３００と同じ作用を奏する部材・部位には同じ符号を付して重複する説明は省略する。
【００３３】
まず、本発明の一実施形態に係るシール弁を図面に基づいて説明する。このシール弁１０は、図１に示すように、シール弁体１１と、キャップ部材１０２とからなり、混注管２００に設けたものである。
【００３４】
シール弁体１１は、図２(ａ)(ｂ)に示すように、シリコーンゴムなどの弾性体で形成した略円板状の部材であり、シール弁体１１の中央部に、注射器の口部を挿し込むための挿通部１２を形成している。注射器の口部は流体の流路を有し、挿入部となってシール弁体１１の挿通部１２に挿入される。
【００３５】
挿通部１２は、図２(ｃ)に拡大して示すように、混注管２００に装着したときに混注管２００の外部側に位置するシール弁体１１の外側の面１３に所定深さの溝１４を直線状に形成し、溝１４の底部に、シール弁体１１の内側の面１５に貫通した小径孔１６を形成したものである。
【００３６】
溝１４の長手方向の両端１４ａは、図２(ｄ)に拡大して示すように、Ｖ字に切り込まれている。これにより挿通部１２を圧着密閉状態にしたときに、溝１４の両端１４ａの締まりがよく、液体の沁み出しや漏れを抑制できる。
【００３７】
シール弁体１１の中央部に形成された溝１４の深さは、シール弁体１１の中央部の厚さの１／２〜４／５程度であることが望ましい。この溝１４は、シール弁体１１を成形する金型成形時に形成するとよい。また、シール弁体１１の溝１４の底部に形成される小径孔１６は、円錐形状の針を突き刺して形成すると、小径孔１６の開口にプラスチック片が生じず、小径孔１６の開口がきれいに仕上がる。
【００３８】
シール弁体１１は、混注管２００の開口の円筒状壁部２０７に圧入できるように、外径１７を当該円筒状壁部２０７の内径よりも少し大きくし、また、シール弁体１１の外周部１８の厚さを、混注管２００の着座部２０８およびキャップ部材１０２で囲まれた空間の高さよりも厚くしている。また、シール弁体１１の中央部は内側１９および外側２０を、それぞれアーチ型凹部形状にしている。
【００３９】
このシール弁体１１は、混注管２００に装着すると、図３に示すように、混注管２００の着座部２０８とキャップ部材１０２の下面によって外周部１８が厚さ方向に圧縮され、かつ、混注管２００の円筒状壁部２０７によって内径方向に圧縮されるので、シール弁体１１の中央部に大きな圧縮応力が作用するようになっている。さらに、シール弁体１１の中央部は、内側１９および外側２０をそれぞれアーチ型凹部形状にしているので、挿通部１２の近傍ではより大きな圧縮応力が作用する。特に、小径孔１６が形成されているシール弁体１１の内側は、外側よりも大きな圧縮応力が掛かっている。
【００４０】
このシール弁１０は、上記のようにより大きな圧縮応力を受けて、シール弁体１１の挿通部１２が圧着密閉状態になっている。
【００４１】
また、シール弁体１１の中央部に大きな圧縮応力が作用しているので、図４に示すように、シール弁体１１の挿通部１２に注射器１０４の口部１０５を完全に挿し込むと、注射器１０４はシール弁体１１に保持された状態で安定する。
【００４２】
また、シール弁体１１の中央部は内側および外側がアーチ型凹断面で形成されているので、シール弁体１１の挿通部１２から注射器１０４の口部１０５を抜くときには、挿通部１２から注射器１０４の口部１０５を押し出そうとするシール弁体１１の弾性復元力が作用する。これにより、シール弁体１１の挿通部１２が早期にシール状態を回復することができる。
【００４３】
また、注射器１０４の口部１０５を挿通部１２から抜くときは、図５に示すように、注射器１０４の口部１０５をシール弁体１１の厚さ方向の中間部位まで抜いたときに、小径孔１６が形成されたシール弁体１１の内側が閉鎖状態になる。これにより、液体の漏れを抑止することができる。
【００４４】
以上、本発明の一実施形態に係るシール弁を説明したが、本発明に係るシール弁は上記の実施形態に限定されるものではない。
【００４５】
より好適には、図６に示すように、シール弁体１１の溝１４の幅方向の両側のみ、外径１７'を大きくし、かつ、シール弁体１１の外周部１８’の厚さを厚くするとよい。これにより、シール弁体１１の中央部に、溝１４の幅方向に圧縮応力を作用させることができ、シール弁体１１の挿通部１２の圧着密閉状態を強固なものにすることができる。
【００４６】
また、シール弁１０は、シール弁体１１の内側１９及び外側２０の中央部を、それぞれアーチ型凹部形状にしたものを例示したが、シール弁体１１の内側１９の中央部のみ、アーチ型凹部形状にしたものでもよい。この場合も、同様に、シール弁体１１の中央部により大きな圧縮応力を作用させることができる。
【００４７】
上記のシール弁は、図７に示す、薬液バック（輸液バック）のバック栓に適用することができる。本発明に係るシール弁を利用したバッグ栓２１は、図８に示すように、シール弁体２２と、シール弁体２２を装着するハウジング２３と、シール弁体２２をハウジング２３に固定するキャップ部材２４からなる。シール弁体２２は、シール弁１０のシール弁体１１に対応し、ハウジング２３は混注管２００の開口２０６に対応し、キャップ部材２４は、キャップ部材１０２に対応している。このバッグ栓２１のシール弁体２２は、上述したシール弁１０と同様、ハウジング２３に内径方向に圧縮させた状態で装着されている。シール弁２２の中央部には、上述した挿通部２５を設けている。また、シール弁体２２の内側２６及び外側２７の中央部は、それぞれアーチ型凹部形状になっており、シール弁体２２に作用する圧縮応力がシール弁体２２の中央部で大きくなるようになっている。ハウジング２３には、シール弁体２２を着座させる着座部２８に薬液とシール弁体２２とを仕切る遮蔽膜２９が設けられている。
【００４８】
このバック栓２１は、上述したようにシール弁体２２が耐圧性を備えており、薬液バックに高い圧力が掛かり、薬液バック内の圧力が遮蔽膜２９に作用した場合でも、シール弁体２２が遮断膜２９を外側から支持するので、高い耐圧性を備えている。
【００４９】
このバッグ栓２１は、図９に示すように、輸液チューブに取り付けたロケット針３０を挿し込むことができる。ロケット針３０は、先端が尖ったプラスチック製の挿入部で、基端部に輸液チューブ３１を連結する連結部３２を備え、内部に流路３３を備え、先端部に流路３３の開口部３４が形成されたものである。ロケット針３０は、シール弁体２２の挿通部２５に挿入し、ハウジング２３の遮蔽膜２９を突き破ってバック栓２１に挿し込む。このときロケット針３０の先端部は、薬液バック内に到達する。
【００５０】
ロケット針３０を挿し込んだ状態では、シール弁体２２の挿通部２５の内周面が、ロケット針３０の外周面に圧着するので、薬液が漏れるなどの不都合は生じない。また、シール弁体２２の中央部に作用する圧縮応力は、ロケット針３０を保持するように作用する。このバック栓２１は、シール弁体２２の内側２６及び外側２７の中央部は、それぞれアーチ型凹部形状になっており、シール弁体２２の中央部に大きな圧縮応力が作用するので、バッグ栓２１に差し込んだロケット針３０の引抜抵抗が大きい。このため、例えば、患者が寝返りをして輸液チューブ３１が引っ張られた場合でも、バッグ栓２１からロケット針３０が外れてしまうことはない。
【００５１】
次に、本発明の一実施形態に係る注射器接続ポート４０を説明する。
【００５２】
注射器接続ポート４０は、図１０に示すように、混注管２００に設けてあり、シール弁体４１と、キャップ部材３０２と、アダプタ３０３からなる。
【００５３】
シール弁体４１は、上記のシール弁１０のものと同じであり、中央に挿通部４２が設けてある。図示は省略するが、挿通部４２は、混注管２００に装着したときに混注管２００の外部側に位置するシール弁体４１の挿入側の面に所定深さの溝を直線状に形成し、溝の底部に、シール弁体４１の出口側の面に貫通した小径孔を形成したものである。シール弁体４１を圧縮させて混注管２００に装着した状態では、シール弁体４１の挿通部４２は、常時は圧着密閉状態になっている。
【００５４】
この注射器接続ポート４０に、ツイストロック式注射器６００を接続する場合は、図１１に示すように、まずツイストロック式注射器６００の口部６０２を、キャップ部材３０２のスリーブ部３０６に刺し込み、ツイストロック式注射器６００の口部６０２の先端をアダプタ３０３の連結部３０９に嵌着させる。次に、ツイストロック式注射器６００のカラー６０５に形成されている雌ねじ部６０６を、スリーブ部３０６の螺合片３０７に螺合させながら、ツイストロック式注射器６００をスリーブ部３０６にねじ込む。ツイストロック式注射器６００をねじ込むと、アダプタ３０３はシール弁体４１側に押し込まれ、アダプタ３０３の挿入部３１０が、シール弁体４１の挿通部４２に挿入される。
【００５５】
この状態では、ツイストロック式注射器６００のカラー６０５に形成されている雌ねじ部６０６が、スリーブ部３０６の螺合片３０７に螺合しているので、作業者がツイストロック式注射器６００から手を離しても、ツイストロック式注射器６００が注射器接続ポート４０から外れることはない。
【００５６】
次に、ツイストロック式注射器６００を抜くときは、ツイストロック式注射器６００の雌ねじ部６０６とキャップ部材３０２の螺合片３０７の螺合を解除させながら抜いていく。このとき、シール弁体４１の挿通部４２からアダプタ３０３の挿入部３１０を押し出そうとするシール弁体４１の弾性復元力が作用するので、シール弁体４１の挿通部４２は早期に圧着密閉状態に復元する。また、図１２に示すように、アダプタ３０３の挿入部３１０をシール弁体４１の厚さ方向の中間部位まで抜いたときに、小径孔（図示省略）が形成されたシール弁体４１の内側が閉鎖状態になる。これにより、液体の漏れを抑止することができる。
【００５７】
以上、本発明の一実施形態に係る注射器接続ポート４０を説明したが、本発明の注射器接続ポート４０は上記に限定されるものではない。
【００５８】
【発明の効果】
請求項１に記載のシール弁は、シール弁体の挿通部が、出口側が、挿入側よりも狭くなっている。具体的には、シール弁体の挿通部が、挿入側の面に形成した溝部と、溝部の幅よりも小径で、かつ、溝部の底から出口側の面に至る小径孔とからなる。このため、シール弁体を容器又は配管の開口部に装着したときに、圧着密閉手段によって、シール弁体を容器又は配管の開口部に装着したときの圧着密閉手段によって、スリット状の溝部のみで挿通部を形成する場合と比べ、シール弁体の内側部分の小径孔により強い圧縮応力が生じ、シール弁体の挿通部がより強く圧着密閉状態になる。これにより、容器又は配管内の液体からシール弁が圧力を受けたときでも、液体が漏れることがない。すなわち、このシール弁は、密封性及び耐圧性に優れており、容器又は配管の内部の液体の沁み出しや漏れを抑止することができる。また、挿通部に注射器の口部やロケット針などを挿し込んだときの注射器やロケット針の保持安定性がよい。さらに、小径孔のみでなく溝部も圧着密閉状態とすることにより、より優れた挿通部の密閉性、及び注射器やロケット針の安定性が得られる。さらに、シール弁体の挿通部から注射器の口部を抜くとき、注射器の口部をシール弁体の厚さ方向の中間部位まで抜いたときに、挿通部の内側が閉鎖状態になる。これにより、液体の漏れを抑制することができる。
【００５９】
請求項２に記載のシール弁は、挿通孔の溝部の両端を、端部へ向けて溝幅を縮小するＶ字状としている。これにより、挿通部を圧着密閉状態にしたときに、溝部の両端に隙間が形成されることを防止でき、液体の沁み出しや漏れを抑制できる。
【００６０】
請求項３に記載のシール弁は、シール弁体が金型成形品であって、金型成形時に挿通部の溝部を形成し、その後に前記溝部の底に針を突き刺して小径孔を形成したので、挿通部の小径孔の開口部分がきれいに仕上がり衛生的である。
【００６１】
請求項４は、容器又は配管の内部側に配設されたシール弁体の内側面の中央部がアーチ型凹部形状になっているので、アーチ型凹部形状に沿って、シール弁体の中央部により強い圧縮応力を発生させることができ、シール弁の遮断密閉性が向上し、また、シール弁体の挿通部から注射器の口部を抜くときの液漏れを抑制することができる。また、このシール弁を採用した注射器接続ポートでは、注射器が接続されている状態において、シール弁体の復元力が、アダプタをシール弁体の挿通部から押し出すように作用するので、シール弁体の挿通部がより速く圧着密閉状態に復元する。また、アーチ型凹部形状に沿って、シール弁体の中央部により強い圧縮応力が発生するので、ロケット針の引抜抵抗を向上させることができる。
【００６２】
請求項５に記載のシール弁は、容器又は配管の内部側に配設されたシール弁体の内側面の中央部と、容器又は配管の外部側に配設されたシール弁体の外側面の中央部が、それぞれ略アーチ型凹部形状になっているので、請求項４に記載のシール弁と同じ効果を奏し、かつ、容器又は配管の内部が負圧状態になった場合でも、シール弁体が容器又は配管の内部側に引き込まれるように変形するのを抑制することができる。すなわち、シール弁の密封性および耐圧性が向上する。
【００６３】
請求項６に記載のシール弁は、圧着密閉手段が、シール弁体の外周部を厚さ方向及び半径方向に圧縮させることにより、シール弁体の中央部を挿通部の幅方向に圧縮して挿通部を圧着密閉することを特徴としている。これにより、シール弁体の中央部により大きな圧縮応力を作用させることができ、シール弁体の挿通部を圧着密閉させる作用がより強くなる。これにより、シール弁体の挿通部から注射器の口部を抜いたときに、挿通部をより速く圧着密閉状態に復元させることができる。これにより、液体の漏れを抑制することができる。
【００６４】
請求項７に記載の注射器接続ポートは、容器又は配管の開口部に装着した請求項１から６の何れかに記載のシール弁と、容器又は配管の開口部に装着されたキャップ部材であって、シール弁体の挿通部が臨める開口と、開口の周縁囲むように立設した注射器の口部が挿入可能なスリーブ部とを備えたキャップ部材と、スリーブ部内に軸方向に摺動可能に配設され、注射器の口部が連結する連結部と、外周面が先細テーパ形状を成し、シール弁体の挿通部に挿入し得る挿入部と、連結部から挿入部に至る流路とを備えたアダプタとを備えている。この注射器接続ポートは、請求項１から６の何れか記載のシール弁が採用したので、注射器接続ポートから注射器の口部を抜いたときに、シール弁の挿入部からの液体の漏れを抑制することができる。
【図面の簡単な説明】
【図１】  本発明の一実施形態に係るシール弁の縦断面図である。
【図２】  (ａ)は本発明の一実施形態に係るシール弁のシール弁体の平面図、(ｂ)はシール弁体の横断面図、(ｃ)はシール弁体の挿通部の拡大横断面図、(ｄ)は挿通部の溝の長手方向の端部を拡大した平面図である。
【図３】  混注管に装着された状態でのシール弁体の応力状態を示す図である。
【図４】  本発明の一実施形態に係るシール弁に注射器が挿入された状態を示す縦断面図である。
【図５】  シール弁体の中間部位まで、注射器が抜かれた状態を示す縦断面図である。
【図６】  シール弁体の変形例を示す平面図である。
【図７】  薬液バックの使用状態を示す図である。
【図８】  本発明の一実施形態に係るシール弁を利用したバック栓を示す縦断面図である。
【図９】  図８に示すバック栓にロケット針を挿し込んだ状態を示す縦断面図である。
【図１０】  本発明の一実施形態に係る注射器接続ポートを示す縦断面図である。
【図１１】  本発明の一実施形態に係る注射器接続ポートにツイストロック式注射器がねじ込まれた状態を示す縦断面図である。
【図１２】  シール弁体の中間部位までアダプタが抜けた状態を示す縦断面図である。
【図１３】  従来の混注管のシール構造を示す縦断面図である。
【図１４】  本発明者らが開発しているシール弁を示す縦断面図である。
【図１５】  (ａ)はシール弁が装着される混注管を示す平面図、(ｂ)は混注管の縦断面図である。
【図１６】  本発明者らが開発しているシール弁に注射器を挿入した状態を示す縦断面図である。
【図１７】  (ａ)はツイストロック式の注射器を示す縦断面図、(ｂ)はツイストロック式の注射器の注射器本体を示す縦断面図、(ｃ)はツイストロック式の注射器の注射針を示す図である。
【図１８】  本発明者らが開発している注射器接続ポートを示す縦断面図である。
【図１９】  本発明者らが開発している注射器接続ポートに注射器を挿入した状態を示す縦断面図である。
【符号の説明】
１０  シール弁
１１  シール弁体
１２  挿通部
１４  溝
１６  小径孔
１０２  キャップ部材
１０４  注射器
２００  混注管
２０７  円筒状壁部
２０８  着座部
４０  注射器接続ポート
４１  シール弁体
４２  挿通部
３０２  キャップ部材
３０３  アダプタ
３０６  スリーブ部
３０７  螺合片
６００  ツイストロック式注射器
【図１】
0004118598.tif 000002
【図２】
0004118598.tif 000003
【図３】
0004118598.tif 000004
【図４】
0004118598.tif 000005
【図５】
0004118598.tif 000006
【図６】
0004118598.tif 000007
【図７】
0004118598.tif 000008
【図８】
0004118598.tif 000009
【図９】
0004118598.tif 000010
【図１０】
0004118598.tif 000011
【図１１】
0004118598.tif 000012
【図１２】
0004118598.tif 000013
【図１３】
0004118598.tif 000014
【図１４】
0004118598.tif 000015
【図１５】
0004118598.tif 000016
【図１６】
0004118598.tif 000017
【図１７】
0004118598.tif 000018
【図１８】
0004118598.tif 000019
【図１９】
0004118598.tif 000020